(57)【要約】【課題】大型化を抑制し、美観を保ちつつ施工容易性を図ることが可能な電池式の電気錠システムを提供する。【解決手段】  本発明の電気錠システム１は、扉２の室内側壁面２ａに離間して固定される一対の室内側台座１３，１４の間を室内側グリップ１５で連結して構成される室内側ハンドル３と、扉２の室外側壁面２ｃに離間して固定される一対の室外側台座３０，３１の間を室外側グリップ３２で連結して構成される室外側ハンドル５と、室外側グリップ５に内設される施解錠操作装置８と、施解錠操作装置８の操作に基づき施解錠され、扉２の木口２ａから扉２に内設される２つの電気錠９，１０と、各電気錠９，１０の駆動電源となる電池６０を保持し、下室内側台座１４に内設される電池収容装置１１（１２）と、を備える。【選択図】図２
2015068007.tif 000002
【特許請求の範囲】
【請求項１】
扉の壁面の室内側に離間して固定される一対の室内側台座の間を室内側グリップで連結して構成される室内側ハンドルと、
前記扉の壁面の室外側に離間して固定される一対の室外側台座の間を室外側グリップで連結して構成される室外側ハンドルと、
前記室外側グリップに内設される施解錠操作装置と、
前記施解錠操作装置の操作に基づき施解錠され、前記扉の木口から前記扉に内設される少なくとも２つの電気錠と、
前記各電気錠の駆動電源となる電池を保持し、一方の前記室内側台座または一方の前記室外側台座に内設される電池収容装置と、を備えていることを特徴とする電気錠システム。
【請求項２】
前記電池収容装置は、
前記一方の室内側台座の内部または前記一方の室外側台座の内部に形成される空間に収容されるカートリッジと、
前記カートリッジ内で複数の前記電池を保持するように、前記扉の室内側と室外側とを結ぶ奥行方向に並設される複数の電池保持部と、を有していることを特徴とする請求項１に記載の電気錠システム。
【請求項３】
前記各室内側台座および前記各室外側台座は、それぞれ、前記室内側グリップおよび前記室外側グリップから離れるに従って前記壁面に向かって傾斜する傾斜面を有し、
奥行方向手前側に設けられる前記電池保持部は、奥行方向奥側に設けられる前記電池保持部よりも、前記室内側グリップおよび前記室外側グリップに向かって位置ずれして配置されていることを特徴とする請求項２に記載の電気錠システム。
【請求項４】
前記各電気錠の施解錠を手動で操作可能な少なくとも一対のシリンダと、
前記各シリンダを覆うように前記各室外側台座に着脱可能に設けられる少なくとも一対のシリンダカバーと、を更に備えていることを特徴とする請求項１ないし３のいずれかに記載の電気錠システム。
【請求項５】
前記施解錠操作装置は、
外部の通信媒体との間で通信を行う通信ユニットと、
前記室外側グリップの室外側に露出するプッシュボタンと、を有し、
前記通信ユニットの通信結果と前記プッシュボタンの押下とに基づいて前記各電気錠の施解錠を行うことを特徴とする請求項１ないし４のいずれかに記載の電気錠システム。
【請求項６】
前記室内側ハンドルの前記壁面側または前記室内側のいずれか一方に開口する室内側レバー挿入部内に回動可能に支持される室内側レバーと、
前記室外側ハンドルの前記壁面側または前記室内側のいずれか一方に開口する室外側レバー挿入部内に回動可能に支持される室外側レバーと、
前記室内側レバーまたは前記室外側レバーの回動に伴って前記扉の木口からラッチボルトを進退移動させるラッチ錠と、を更に備えていることを特徴とする請求項１ないし５のいずれかに記載の電気錠システム。
【発明の詳細な説明】
【技術分野】
【０００１】
本発明は、電池式の電気錠システムに関する。
【背景技術】
【０００２】
近年、一般住宅の玄関等では、ＩＣカード等をリーダにかざすことによりデッドボルトを電気的に駆動させて施解錠を行う電気錠が設置されている。このような電気錠の電源として電池を用いたものが、一般的に知られている。
【０００３】
例えば、特許文献１には、扉の壁面の室内外に固定した面付ユニットとしての錠ケースと、錠ケースの外側錠ケースの下側に回転可能に取り付けられたレバーハンドルと、電気錠の施解錠を行うために外側錠ケースの上側に設けられた指紋照合器と、錠ケースの内側錠ケースに内蔵され、電気錠等に電力を供給する６本の単三乾電池を保持した電池ボックスと、を備えた技術が開示されている。なお、内側錠ケースは、電池ボックスを設けた部分が室内側に突出して形成されている。
【先行技術文献】
【特許文献】
【０００４】
【特許文献１】特開平１０−１８４１３０号公報
【発明の概要】
【発明が解決しようとする課題】
【０００５】
しかしながら、上記した従来の技術では、電池ボックスを内蔵するために内側錠ケースが大型化するという問題があった。同様に、電気錠の施解錠を行う指紋照合器を設けるため外側錠ケースが大型化するという問題があった。また、既存の錠前やハンドル等に代えて錠ケースを扉に取り付けた場合、不自然な意匠となるという問題があった。さらに、錠ケースを取り付けるための加工を扉に施さなければならず、施工に手間と時間がかかっていた。
【０００６】
本発明は、大型化を抑制し、美観を保ちつつ施工容易性を図ることが可能な電池式の電気錠システムを提供することを目的とする。
【課題を解決するための手段】
【０００７】
本発明の電気錠システムは、扉の壁面の室内側に離間して固定される一対の室内側台座の間を室内側グリップで連結して構成される室内側ハンドルと、前記扉の壁面の室外側に離間して固定される一対の室外側台座の間を室外側グリップで連結して構成される室外側ハンドルと、前記室外側グリップに内設される施解錠操作装置と、前記施解錠操作装置の操作に基づき施解錠され、前記扉の木口から前記扉に内設される少なくとも２つの電気錠と、前記各電気錠の駆動電源となる電池を保持し、一方の前記室内側台座または一方の前記室外側台座に内設される電池収容装置と、を備えていることを特徴とする。
【０００８】
この構成によれば、電池を保持する電池収容装置は、室内側台座または室外側台座に内装され、施解錠操作装置は、室外側グリップに内装される。このため、扉の室内外には、それぞれハンドルのみが取り付けられる。これにより、電気錠を駆動するための部品を、扉に別途取り付ける必要がなく、電気錠システムをコンパクトに構成することができる。また、扉に機械式の錠前およびハンドルを取り付けた場合と略同様の意匠を維持しつつ電気錠システムを構成することができる。さらに、扉に各ハンドルと各電気錠を取り付け、簡単な配線処理を行うだけで、電気錠システムを構成することができる。このため、扉に対する加工が不要となり、施工にかかる手間と時間を削減することができる。
【０００９】
この場合、前記電池収容装置は、前記一方の室内側台座の内部または前記一方の室外側台座の内部に形成される空間に収容されるカートリッジと、前記カートリッジ内で複数の前記電池を保持するように、前記扉の室内側と室外側とを結ぶ奥行方向に並設される複数の電池保持部と、を有していることが好ましい。
【００１０】
この構成によれば、一方の室内側台座および一方の室外側台座のいずれかの内部の空間を有効利用することができる。
【００１１】
この場合、前記各室内側台座および前記各室外側台座は、それぞれ、前記室内側グリップおよび前記室外側グリップから離れるに従って前記壁面に向かって傾斜する傾斜面を有し、奥行方向手前側に設けられる前記電池保持部は、奥行方向奥側に設けられる前記電池保持部よりも、前記室内側グリップおよび前記室外側グリップに向かって位置ずれして配置されていることが好ましい。
【００１２】
この構成によれば、各台座には傾斜面が形成されているため、壁面と傾斜面と間の距離、すなわち奥行方向の長さは、各グリップ側で長く、各グリップから離れるほど短くなるように形成されている。各台座内の空間は、各グリップ側が広く、各グリップから離れるに従って狭くなるように形成されている。そして、手前側の電池保持部は、奥側の電池保持部に対し、空間が広くなる方向に位置ずれしている。このため、空間の狭い領域には奥側の電池保持部のみが臨むこととなる。すなわち、カートリッジは、奥行方向に窄まる空間形状に合わせるように構成されている。これにより、カートリッジの配設空間を確保するために各台座を不自然に変形させたり大きくしたりする必要が無く、台座内の空間を更に有効利用することができる。
【００１３】
また、この場合、前記各電気錠の施解錠を手動で操作可能な少なくとも一対のシリンダと、前記各シリンダを覆うように前記各室外側台座に着脱可能に設けられる少なくとも一対のシリンダカバーと、を更に備えていることが好ましい。
【００１４】
この構成によれば、通常時には、シリンダカバーはシリンダを覆って一体感のある室外側ハンドルの外観を形成する。一方、例えば、電池の電力不足で電気錠を駆動できない場合等、ユーザは、シリンダカバーを取り外し、手動で電気錠を施解錠することができる。
【００１５】
また、この場合、前記施解錠操作装置は、外部の通信媒体との間で通信を行う通信ユニットと、前記室外側グリップの室外側に露出するプッシュボタンと、を有し、前記通信ユニットの通信結果と前記プッシュボタンの押下とに基づいて前記各電気錠の施解錠を行うことが好ましい。
【００１６】
この構成によれば、施解錠操作装置が室外側グリップに内装されているため、ユーザは施解錠操作装置に対する施解錠操作を簡単に行うことができる。
【００１７】
また、この場合、前記室内側ハンドルの前記壁面側または前記室内側のいずれか一方に開口する室内側レバー挿入部内に回動可能に支持される室内側レバーと、前記室外側ハンドルの前記壁面側または前記室内側のいずれか一方に開口する室外側レバー挿入部内に回動可能に支持される室外側レバーと、前記室内側レバーまたは前記室外側レバーの回動に伴って前記扉の木口からラッチボルトを進退移動させるラッチ錠と、を更に備えていることが好ましい。
【００１８】
この構成によれば、各レバーの回動に伴ってラッチボルトを進退させる構成であるため、例えば、各ハンドルを回動させる構成に比して、ラッチボルトの進退移動に必要な力を小さくすることができる。これにより、ユーザの操作感を向上させることができる。
【発明の効果】
【００１９】
本発明によれば、大型化を抑制し、美観を保ちつつ施工容易性を図ることができる。
【図面の簡単な説明】
【００２０】
【図１】本発明の一実施形態に係る電気錠システムを模式的に示す概略図である。
【図２】本発明の一実施形態に係る電気錠システムの室内側ハンドルおよび室外側ハンドルを示す側断面図である。
【図３】本発明の一実施形態に係る電気錠システムの室内側ハンドルを示す背面図である。
【図４】本発明の一実施形態に係る電気錠システムの室外側ハンドルを示す正面図である。
【図５】本発明の一実施形態に係る電気錠システムのラッチ錠を示す側断面図である。
【図６】本発明の一実施形態に係る電気錠システムの電池収容装置を模式的に示す側断面図である。
【図７】本発明の一実施形態の変形例に係る電気錠システムの電池収容装置を模式的に示す側断面図である。
【発明を実施するための形態】
【００２１】
以下、本発明の実施の形態について、添付した図面を参照しながら説明する。なお、以下、説明の便宜のため、適宜図面に矢印で示すように各方向を規定する。
【００２２】
図１ないし図６を参照して、本発明の実施の形態に係る電気錠システム１について説明する。ここで、図１は電気錠システム１を示す概略図、図２は室内側ハンドル３および室外側ハンドル５を示す側断面図である。図３は室内側ハンドル３を示す背面図であり、図４は室外側ハンドル５を示す正面図である。図５はラッチ錠７を示す側断面図である。図６は電池収容装置１１を模式的に示す側断面図である。
【００２３】
図１および図２に示すように、電気錠システム１は、扉２の壁面の室内側に固定される室内側ハンドル３と、室内側ハンドル３の後側（室内側）に回動可能に支持される室内側レバー４と、扉２の壁面の室外側に固定される室外側ハンドル５と、室外側ハンドル５の後側（壁面側）に回動可能に支持される室外側レバー６と、各レバー４，６の回転に伴って扉２の木口２ａに対してラッチボルト７ａを進退移動させるラッチ錠７と、室外側ハンドル５（室外側グリップ３２）に内設される施解錠操作装置８と、施解錠操作装置８の操作に基づき施解錠され、扉２の木口２ａから扉２に内設される主電気錠９および副電気錠１０と、各電気錠９，１０の駆動電源となる電池６０を保持し、室内側ハンドル３の下方（下室内側台座１４）に内設される電池収容装置１１と、を備えている。
【００２４】
図２および図３に示すように、室内側ハンドル３は、扉２の室内側壁面２ｂに上下方向に離間して固定される上室内側台座１３および下室内側台座１４と、上下一対の室内側台座１３，１４の間に連結される室内側グリップ１５と、を有し、全体として後方（室内側）に僅かに湾曲したアーチ形状に構成されている。
【００２５】
図２に示すように、上室内側台座１３の下側から室内側グリップ１５の上下方向略中央に亘る部分の後側（室内側）には、室内側レバー４が設けられる室内側レバー挿入部１６が凹設されている。
【００２６】
上室内側台座１３は、側面視で（木口２ａ方向から見て）上方に向かって室内側壁面２ｂ側に傾斜（正確には湾曲）するように形成されている。上室内側台座１３の下側内部には、内側配設空間Ｓ１が形成されている。内側配設空間Ｓ１は、室内側レバー挿入部１６の上部に連なっている。
【００２７】
上室内側台座１３の前側（扉２側）には、室内側ブラケット１７が、複数の固定ネジＢ１によって固定されている。室内側ブラケット１７の上下方向略中央には、ブラケット挿通孔１７ａが穿設されている。室内側ブラケット１７の一部は、内側配設空間Ｓ１内に配設されている。内側配設空間Ｓ１内の室内側ブラケット１７には、上部にレバー回転軸１７ｂが左右方向に架設され、下部にラッチ回転軸１７ｃが左右方向に架設されている。
【００２８】
室内側ブラケット１７と扉２の室内側壁面２ｂとの間には、室内側裏板１８が配設されている。室内側裏板１８は、複数の固定ネジＢ２によって扉２に固定されると共に、複数の固定ネジＢ３（図２では１つのみ図示）によって上室内側台座１３に固定されている。室内側裏板１８には、室内側ブラケット１７のブラケット挿通孔１７ａと対応する位置に裏板挿通孔１８ａが穿設されている。
【００２９】
室内側レバー４は、上下方向に長く形成されており、室内側ハンドル３の後側（室内側）に開口する室内側レバー挿入部１６に挿入されている。室内側レバー４の上部には、レバー側取付部２０が設けられている。レバー側取付部２０の上部には、上記したレバー回転軸１７ｂが貫挿されている。これにより、室内側レバー４は、レバー回転軸１７ｂを中心として前後方向に回動可能な状態で支持されている。レバー回転軸１７ｂには、捩りコイルバネ２２が巻回しており、室内側レバー４は、捩りコイルバネ２２によって後方（室内側）に付勢されている。レバー側取付部２０には、各回転軸１７ｂ，１７ｃと平行となる位置に軸状部２０ａが挿着されている。
【００３０】
また、室内側レバー４の下部には、ユーザによって操作される操作部２１が設けられている。操作部２１は、室内側レバー４が後方（室内側）に回動した状態で、室内側グリップ１５の表面よりも後方に突出するように設けられている。
【００３１】
室内側ラッチバー２３は、側面視で略Ｌ字状に形成されている。室内側ラッチバー２３の下部には、上記したラッチ回転軸１７ｃが貫挿され、室内側ラッチバー２３の上部には、上記した軸状部２０ａが遊挿されている。これにより、室内側ラッチバー２３は、ラッチ回転軸１７ｃを中心として前後方向に回動可能な状態で支持されている。室内側ラッチバー２３の突起片２３ａは、ブラケット挿通孔１７ａおよび裏板挿通孔１８ａを通って扉２の内部に挿入されている。
【００３２】
図２および図３に示すように、下室内側台座１４は、側面視で下方に向かって室内側壁面２ｂ側に傾斜（正確には湾曲）するように形成されている。下室内側台座１４の上側には、電源空間Ｓ２を形成する電源凹部１４ａが凹設されている。電源凹部１４ａの開口部分は、下室内側台座１４の後側（室内側）を開放すると共に、下室内側台座１４の左右方向両側壁１４ｂを前後方向略中央まで切り込んで形成されている（図６参照）。
【００３３】
図２に示すように、下室内側台座１４と扉２の室内側壁面２ｂとの間には、室内側裏板２４が配設されている。室内側裏板２４は、複数の固定ネジＢ４によって扉２に固定され、下室内側台座１４は、複数の固定ネジＢ５によって室内側裏板２４に固定されている。
【００３４】
また、下室内側台座１４は、電源空間Ｓ２を開閉可能なカバー２５を有しており、カバー２５は、電源凹部１４ａに対して着脱可能に取り付けられている。下室内側台座１４は、カバー２５が電源空間Ｓ２を閉塞した状態で、上室内側台座１３を上下反転させたような外観を成すようになっている。
【００３５】
カバー２５は、下室内側台座１４の外観を成すように湾曲する傾斜面部２５ａと、傾斜面部２５ａから前方に延出する左右一対の側面部２５ｂと、を有し、電源凹部１４ａを閉塞可能な形状に一体形成されている。傾斜面部２５ａの裏面（電源空間Ｓ２側）には、クッションシール２６が取り付けられている。なお、図示は省略するが、カバー２５の各側面部２５ｂには、下室内側台座１４の両側壁に設けられるスナップフィット部に係合するフック部が設けられている。
【００３６】
カバー２５で電源凹部１４ａを閉塞した状態では、傾斜面部２５ａと、電源凹部１４ａの底面（或いは扉２の室内側壁面２ｂ）との間の距離（すなわち奥行方向の長さ）は、上端側で長く、下方に向かうほど短くなるように形成されている。したがって、電源空間Ｓ２は、上側が前後方向に広く形成され、下方に向かうに従って前後方向に狭くなるように形成されている。なお、カバー２５の傾斜面部２５ａが請求項にいう「傾斜面」の具体例である。
【００３７】
上室内側台座１３の上部および下室内側台座１４の下部には、それぞれ、各電気錠９，１０に取り付けられたサムターン９ｂ，１０ｂを室内側に露出させるためのサムターン開口部３ａ，３ｂが貫通形成されている。なお、下室内側台座１４の下端部には、扉２の内部に連通する室内側配線孔３ｃが開口している。
【００３８】
次に、図２および図４に示すように、室外側ハンドル５は、扉２の室外側壁面２ｃに上下に離間して固定される上室外側台座３０および下室外側台座３１と、上下一対の室外側台座３０，３１に連結される室外側グリップ３２と、を有し、全体として前方（室外側）に僅かに湾曲したアーチ形状に構成されている。
【００３９】
図２に示すように、上室外側台座３０の下側から室外側グリップ３２の上下方向略中央に亘る部分の後側には、室外側レバー６が設けられる室外側レバー挿入部３３が凹設されている。
【００４０】
上室外側台座３０は、側面視で（木口２ａ方向から見て）上方に向かって室外側壁面２ｃ側に傾斜（正確には湾曲）するように形成されている。上室外側台座３０の下部には、上台座空間Ｓ３を構成する上台座凹部３０ａが凹設されている。上台座空間Ｓ３は、室外側レバー挿入部３３の上部に連なっている。
【００４１】
上室外側台座３０の後側（扉２側）には、室外側ブラケット３４が、複数の固定ネジＢ６によって固定されている。室外側ブラケット３４の上下方向略中央には、ブラケット挿通孔３４ａが穿設されている。室外側ブラケット３４の一部は、上台座空間Ｓ３内に配設されている。上台座空間Ｓ３内の室外側ブラケット３４には、上下方向略中央にラッチ回転軸３４ｂが左右方向に架設され、上部にレバー回転軸３４ｃが左右方向に架設されている。
【００４２】
室外側レバー６は、上下方向に長く形成されており、室外側ハンドル５の後側に開口する室外側レバー挿入部３３に挿入されている。室外側レバー６の上部には、レバー側取付部３５が設けられている。レバー側取付部３５は、上台座空間Ｓ３内に配設されている。レバー側取付部３５の上部には、上記したレバー回転軸３４ｃが貫挿されている。これにより、室外側レバー６は、レバー回転軸３４ｃを中心として前後方向に回動可能な状態で支持されている。
【００４３】
レバー側取付部３５の上下方向略中央部には、ラッチ回転軸３４ｂの一端部が遊嵌する横長孔３５ａが穿設されている。レバー側取付部３５の下部には、各回転軸３４ｂ，３４ｃと平行となる位置に軸状部３５ｂが挿着されている。
【００４４】
また、室外側レバー６の下部には、ユーザによって操作される操作部３６が設けられている。操作部３６は、室外側レバー６が後側に回動した状態で、室外側グリップ３２の後面（扉２側の面）よりも後方に突出するように設けられている。
【００４５】
室外側ラッチバー３７は、側面視で略Ｌ字状に形成されている。室外側ラッチバー３７の上部には、上記したラッチ回転軸３４ｂが貫挿され、室外側ラッチバー３７の下部には、上記した軸状部３５ｂが遊挿されている。これにより、室外側ラッチバー３７は、ラッチ回転軸３４ｂを中心として前後方向に回転可能な状態で支持されている。ラッチ回転軸３４ｂには、捩りコイルバネ３８が巻回しており、室外側レバー６は、捩りコイルバネ３８によって後方に付勢されている。室外側ラッチバー３７の突起片３７ａは、ブラケット挿通孔３４ａを通って扉２の内部に挿入されている。
【００４６】
下室外側台座３１は、上室外側台座３０と同様に、側面視で下方に向かって室外側壁面２ｃ側に傾斜（正確には湾曲）するように形成されている。下室外側台座３１の上部には、下台座空間Ｓ４を構成する下台座凹部３１ａが凹設されている。
【００４７】
上室外側台座３０の上部および下室外側台座３１の下部には、それぞれ、各電気錠９，１０に取り付けられたシリンダ９ｃ，１０ｃを室外側に露出させるためのシリンダ開口部５ａ，５ｂが貫通形成されている。上室外側台座３０および下室外側台座３１には、それぞれ、各シリンダ９ｃ，１０ｃを覆うようにシリンダカバー３０ｂ，３１ｂが設けられている。各シリンダカバー３０ｂ，３１ｂは、各室外側台座３０，３１の外観を成すように形成され、各室外側台座３０，３１に着脱可能に設けられている。なお、下室外側台座３１の下端部には、扉２の内部に連通する室外側配線孔５ｃが開口している。
【００４８】
室外側グリップ３２は、装置配設空間Ｓ５を構成するグリップ凹部３２ａが凹設されている。装置配設空間Ｓ５は、上台座空間Ｓ３と下台座空間Ｓ４とを連通させるように形成されている。上台座空間Ｓ３、下台座空間Ｓ４および装置配設空間Ｓ５は、グリップカバー３９によって覆われている。グリップカバー３９は、上台座凹部３０ａから下台座凹部３１ａに亘って、室外側ハンドル５の外面を成すように湾曲形成されている。グリップカバー３９は、上室外側台座３０および下室外側台座３１の内側から固定ネジＢ７によって着脱可能に固定されている。
【００４９】
図５に示すように、ラッチ錠７は、扉２の内設される錠ケース４０と、錠ケース４０の内部に配置されるラッチボルト７ａと、上下一対の係止片４１，４２と、一対の作動片４３，４４と、を有している。
【００５０】
錠ケース４０は、錠ケース取付板４０ａを介して扉２の木口２ａにネジ留め固定されている。ラッチボルト７ａは、扉２の木口２ａに対して左右方向に進退可能に構成されている。木口２ａから突出したラッチボルト７ａは、扉枠２ｄに凹設されたストライク２ｅに進入し、扉２の閉止状態（仮閉り状態）が保持される。なお、ラッチボルト７ａはコイルバネ７ｂによって木口２ａから突出するように付勢されている。
【００５１】
上側の係止片４１は、第１支点４１ａに回動可能に支持されている。係止片４１の木口２ａ側には、ラッチボルト７ａの鍔部７ｃに係合する係止突起４１ｂが下方に向かって突設されている。係止片４１の吊元側（木口２ａの反対側）には、被押圧部４１ｃが上方に向かって突設されている。係止片４１の左右方向略中央には、連結腕部４１ｄが下方に延出し、連結腕部４１ｄの下端部には係合突起４１ｅが設けられている。
【００５２】
下側の係止片４２は、上記した係止片４１を上下反転させたような形状であり、係止突起４２ｂ、被押圧部４２ｃおよび連結腕部４２ｄを有し、第２支点４２ａに回動可能に支持されている。連結腕部４２ｄの上端部には、係合穴４２ｅが設けられ、この係合穴４２ｅに係合突起４１ｅが係合することでリンク４５が形成される。第２支点４２ａの周りには、ラッチボルト７ａを係止姿勢（図５の実線参照）とするように各係止片４１，４２を付勢する付勢バネ４６が巻回されている。
【００５３】
各作動片４３，４４は、それぞれ、上下動可能に構成されている。一方の作動片４３の上部には、係止片４１の被押圧部４１ｃと当接する押圧部４３ａが設けられている。作動片４３の下部には、各ラッチバー２３，３７と当接する当接部４３ｂが設けられている。同様に、他方の作動片４４の下部には係止片４２の被押圧部４２ｃと当接する押圧部４４ａが設けられ、その上部には当接部４４ｂが設けられている。
【００５４】
次に、図２および図５を参照して、ラッチ錠７の作用について説明する。扉２が閉止された状態では、室内側レバー４は捩りコイルバネ２２によって後方に付勢され、室外側レバー６は捩りコイルバネ３８によって後方に付勢されている。また、付勢バネ４６によって各係止突起４１ｂ、４２ｂがラッチボルト７ａの鍔部７ｃを係止しており、扉２の木口２ａからのラッチボルト７ａの退避が規制されている（図５の実線参照）。
【００５５】
この状態で、室内側から扉２を開放する場合、ユーザは、室内側ハンドル３（室内側グリップ１５）を把持して前方に押すと共に、室内側レバー４の操作部２１を前方に押圧する。すると、室内側レバー４がレバー回転軸１７ｂを中心に前方に回動し、室内側レバー４の軸状部２０ａが室内側ラッチバー２３を前方に押圧する。これにより、室内側ラッチバー２３は、ラッチ回転軸１７ｃを中心に回動し、突起片２３ａが下方に移動する。
【００５６】
突起片２３ａは作動片４３の当接部４３ｂを下方に押圧し、作動片４３が下方に移動する（図５の二点鎖線参照）。これに伴って、作動片４３の押圧部４３ａが被押圧部４１ｃを押下げ、付勢バネ４６の付勢力に抗して係止片４１が回動する。同様に、リンク４５を介して接続された係止片４２も回動する。これにより、係止突起４１ｂおよび係止突起４２ｂによるラッチボルト７ａの係止が解除され、ラッチボルト７ａが扉２の木口２ａから退避可能となる（図５の二点鎖線参照）。
【００５７】
なお、室外側から扉２を開放する動作も上記と同様である。すなわち、ユーザは、室外側ハンドル５（室外側グリップ３２）を把持して前方に牽引すると共に、室外側レバー６の操作部３６を前方に牽引する。すると、室外側レバー６がレバー回転軸３４ｃを中心に前方に回動し、室外側レバー６の軸状部３５ｂが室外側ラッチバー３７を前方に押圧する。これにより、室外側ラッチバー３７はラッチ回転軸３４ｂを中心に回動し、その突起片３７ａが下方に移動する。なお、突起片３７ａの移動に伴うラッチ錠７の動作は、室内側から扉２を開放する場合と同様であるため、その説明は省略する。
【００５８】
以上のように、各レバー４，６の回動に伴ってラッチボルト７ａを進退させる構成であるため、例えば、各ハンドルを回動させる構成に比して、ラッチボルト７ａの進退移動に必要な力を小さくすることができる。これにより、ユーザの操作感を向上させることができる。
【００５９】
図２に示すように、施解錠操作装置８は、外部の通信媒体との間で通信を行う通信ユニット５０と、室外側グリップ３２の室外側に露出するプッシュボタン５１と、を有している。施解錠操作装置８は、通信ユニット５０の通信結果とプッシュボタン５１の押下とに基づいて各電気錠９，１０の施解錠を行う。
【００６０】
通信ユニット５０は、非接触型のＩＣカード１００の情報を読み取るリーダ基板５２と、携帯型キー１０１との間で無線通信を行うアンテナ基板５３と、を含んで構成されている。なお、ＩＣカード１００および携帯型キー１０１が請求項にいう「通信媒体」の具体例である。
【００６１】
リーダ基板５２には、制御回路（図示せず）が組み込まれており、この制御回路は、例えば、読み取った認証情報が正しい認証情報であるか否かを判別する機能等を有している。また、例えば、制御回路は、主電気錠９を施錠した場合に副電気錠１０も同時に施錠する施錠追従機能や、２つの電気錠９，１０のうち一方のみを解錠し、一定時間内に他方の電気錠を解錠しない場合に解錠した一方の電気錠を再び自動で施錠する施錠復帰機能を有している。
【００６２】
リーダ基板５２は、装置配設空間Ｓ５の上部（室外側レバー６の前側）に収容され、略起立姿勢でスイッチパッキン５４に固定されている。リーダ基板５２が固定されたスイッチパッキン５４は、グリップカバー３９の後面に設けられる上側インナーカバー５５に固定されている。リーダ基板５２には、基板スイッチ５２ａやリーダ側コネクタ５２ｂ等が実装されている。
【００６３】
図４に示すように、グリップカバー３９には、正面視で矩形状の外側ボタン穴３９ａが開口し、外側ボタン穴３９ａには、矩形状のプッシュボタン５１が配設されている。図２に示すように、プッシュボタン５１の後端部は、上側インナーカバー５５に開口する内側ボタン穴５５ａを挿通し、スイッチパッキン５４を挟んで基板スイッチ５２ａ上に配設されている。プッシュボタン５１は、上側インナーカバー５５に対して前後方向に移動可能に支持され、図示しないバネによって前方に向かって付勢されている。したがって、外部に露出したプッシュボタン５１を押下げることによって、リーダ基板５２の基板スイッチ５２ａが押下げられる。
【００６４】
アンテナ基板５３は、装置配設空間Ｓ５の下部、正確には装置配設空間Ｓ５と下台座空間Ｓ４とを跨ぐように配置され、略起立姿勢で下側インナーカバー５６に固定されている。下側インナーカバー５６は、グリップ凹部３２ａと下台座凹部３１ａとの間に収容されている。アンテナ基板５３の表裏には、それぞれアンテナ側コネクタ５３ａ，５３ｂ等が実装されている。
【００６５】
リーダ側コネクタ５２ｂには、制御線や電力線等を含んで構成されるハーネス５７の一端側のコネクタ（図示せず）が接続され、後面のアンテナ側コネクタ５３ａには、ハーネス５７の他端側のコネクタ（図示せず）が接続されている。これにより、リーダ基板５２とアンテナ基板５３とが、ハーネス５７によって電気的に接続される。
【００６６】
また、前面のアンテナ側コネクタ５３ｂには、他のハーネス５８の一端側のコネクタ（図示せず）が接続されている。なお、このハーネス５８の他端部には、電源ソケット５９が取り付けられている。電源ソケット５９は、室外側配線孔５ｃから扉２を貫通し、室内側配線孔３ｃを通って室内側に位置している。
【００６７】
図１および図２に示すように、主電気錠９は、上室内側台座１３と上室外側台座３０との間に挟まれるように扉２の内部に設けられている。主電気錠９には、扉２の木口２ａに対してデッドボルト９ａ進退させるモータやソレノイド等の駆動手段や駆動手段を制御する電気基板（いずれも図示せず）等が内設されている。主電気錠９の室内側には、手動でデッドボルト９ａを進退操作するためのサムターン９ｂが設けられている。主電気錠９の室外側には、機械的キー（図示せず）が挿入されて施解錠が行われるシリンダ９ｃが設けられている。
【００６８】
副電気錠１０は、主電気錠９と同様に、下室内側台座１４と下室外側台座３１との間に挟まれるように扉２の内部に設けられ、デッドボルト１０ａを進退させる駆動手段や電気基板等（図示せず）を備えている。また、副電気錠１０には、サムターン１０ｂおよびシリンダ１０ｃが設けられている。
【００６９】
なお、主電気錠９と、副電気錠１０と、リーダ基板５２とは、それぞれ、図示を省略するハーネスによって電気的に接続されている。
【００７０】
次に、図２、図３および図６を参照して、電池収容装置１１について説明する。なお、以降の説明では、カバー２５の傾斜面部２５ａから室内側壁面２ｂに向かう方向（扉２の室内側と室外側とを結ぶ方向）を「奥行方向」とも呼ぶこととし、前側を「奥側」とも呼び、後側を「手前側」とも呼ぶこととする。
【００７１】
電池収容装置１１は、４本の電池６０と、各電池６０を縦向きに保持するカートリッジ６１と、を含んで構成されている。なお、本実施形態では電池６０として、円筒型の乾電池を使用している。
【００７２】
カートリッジ６１は、室内側ハンドル３の下室内側台座１４に形成された電源空間Ｓ２（電源凹部１４ａ内）に収容されている。カートリッジ６１は、主要な外観を成すカートリッジ本体６２と、カートリッジ本体６２内で４本の電池６０を保持するように、奥行方向に並設される複数の電池保持部６３と、を有している。
【００７３】
カートリッジ本体６２は、絶縁性の樹脂材料により、手前側（室内側）が開放された略箱状に一体形成されている。カートリッジ本体６２の上下両端面には、前後方向略中間に段部６２ａが形成され、奥側が一段下がっている。また、カートリッジ本体６２の上端面前部には、上方に延出する取付片６２ｂが設けられており、取付片６２ｂは固定ネジＢ８によって電源凹部１４ａ内に固定される。なお、カートリッジ本体６２は、電源凹部１４ａの底面に固定してもよい。また、固定手段はネジに限らず、例えば接着剤等を用いて固定してもよい。
【００７４】
カートリッジ６１には、奥行方向に２つの電池保持部６３が並設されている。なお、以下、説明の便宜のため、奥側を第１保持部６４と呼び、手前側を第２保持部６５と呼ぶこととする（図６参照）。
【００７５】
第１保持部６４および第２保持部６５には、それぞれ２本の電池６０が左右に並んで保持されるようになっている。すなわち、電池保持部６３には、４本の電池６０が、平面視で前後左右に２行２列の格子状に配置されることとなる。第１保持部３６と第２保持部３７との間の上部および下部には、それぞれ、段部６２ａに対応して段差が形成されている。これにより、第２保持部３７は、第１保持部３６よりも上方に（室内側グリップ１５に向かって）位置ずれして配置される。
【００７６】
上記したように、電源空間Ｓ２は上方から下方に向かって前後方向（奥行方向）に窄められるように形成されている。この電源空間Ｓ２の形状に対応させるために、カートリッジ６１（カートリッジ本体６２）は、各保持部６４，６５を互いに位置ずれさせ、下端側が前後方向に短く（狭く）なるように形成されている。
【００７７】
第１保持部６４および第２保持部６５の下端には、それぞれ、金属等の導電材料から成るコイル状の２つの負極接続端子６６が左右方向に並設されている。同様に、第１保持部６４および第２保持部６５の上端には、それぞれ、金属等の導電材料から成る板バネ状の２つの正極接続端子６７が左右方向に並設されている。各負極接続端子６６は、各保持部６４，６５に保持された各電池６０の負電極６０ａに接触し、各正極接続端子６７は、各保持部６４，６５に保持された各電池６０の正電極６０ｂに接触するようになっている。
【００７８】
なお、図示は省略するが、カートリッジ本体６２の左右両外側面には、それぞれリード金具が上下方向に延設されている。そして、各リード金具、各負極接続端子６６および各正極接続端子６７は、適正な電気回路を形成するように電気的に接続されている。また、カートリッジ本体６２からは、各端子６６，６７等に接続された電源ケーブル６８が延びている。
【００７９】
電源ケーブル６８の先端部には、電源プラグ６８ａが取り付けられている。電源プラグ６８ａは、下室内側台座１４の下端部（サムターン開口部３ｂの下側）の接続空間Ｓ６に収容されている。なお、接続空間Ｓ６は、ハーネスカバー１４ｃによって覆われている。
【００８０】
上記したハーネス５８に取り付けられた電源ソケット５９は、扉２を貫通して接続空間Ｓ６に収容されている。そして、電源プラグ６８ａは電源ソケット５９に接続され、電池収容装置１１は、電源ケーブル６８およびハーネス５８を介して、施解錠操作装置８、主電気錠９および副電気錠１０等に電力を供給する。
【００８１】
次に、図２を参照して、電気錠システム１の動作について説明する。なお、施解錠操作装置８および各電気錠９，１０には、電池収容装置１１から電力が供給されているものとする。
【００８２】
室外側から入室しようとする者（ユーザ）は、プッシュボタン５１を押した後にＩＣカード１００をリーダ基板５２にかざす。すると、ＩＣカード１００とリーダ基板５２との間で通信が行われ、ＩＣカード１００の認証情報がリーダ基板５２によって読み取られる。リーダ基板５２の制御回路は、読み取った認証情報が予め記憶された特定の認証情報と合致するか否かを判別する。この結果、合致すると判別された場合、リーダ基板５２（制御回路）から主電気錠９に解錠信号が出力され、主電気錠９が解錠される。また、主電気錠９の解錠に連動して、リーダ基板５２から解錠信号が出力され、副電気錠１０が解錠される。一方、合致せずと判別された場合には、リーダ基板５２からの解錠信号が送信されず、主電気錠９の解錠は行われない。
【００８３】
また、他の解錠方法として、室外側から入室しようとする者が携帯型キー１０１を所持している場合、プッシュボタン５１を押すことによって、各電気錠９，１０の解錠が行われる。詳細には、プッシュボタン５１の押下情報がリーダ基板５２の制御回路に送信されると共に、携帯型キー１０１とアンテナ基板５３との間の無線通信の結果がリーダ基板５２の制御回路に送信される。制御回路は、携帯型キー１０１との通信情報（認証情報）が予め記憶された特定の認証情報と合致するか否かを判別し、判別結果に応じて、上記と同様に各電気錠９，１０の解錠が行われる（または解錠が行われない）。
【００８４】
以上のように、施解錠操作装置８が室外側グリップ３２に内装されているため、ユーザは施解錠操作装置８に対する施解錠操作を簡単に行うことができる。
【００８５】
なお、例えば、電池６０の電力不足で施解錠操作装置８が動作しない場合、ユーザは、上下一対のシリンダカバー３０ｂ，３１ｂを取り外して各シリンダ９ｃ，１０ｃを露出させることで、機械的キーを用いて各電気錠９，１０の施解錠を行うことができる。このように、通常時には、各シリンダカバー３０ｂ，３１ｂは各シリンダ９ｃ，１０ｃを覆って一体感のある室外側ハンドル５の外観を形成する。一方、各電気錠９，１０を駆動できない事情が生じた場合には、ユーザは、容易に手動によって各電気錠９，１０を施解錠を行うことができる。
【００８６】
次に、図６を参照して、電池収容装置１１の電池６０の交換作業について説明する。
【００８７】
まず、作業者は、下室内側台座１４からカバー２５を取り外して、電源空間Ｓ２内の電池収容装置１１を露出させる。作業者は、第２保持部６５に保持された各電池６０をやや下方に押下げながら奥側から手前側に向かって取り外す。これにより、第１保持部６４に保持された２本の電池６０が露出する。続いて、作業者は、第１保持部６４に保持された各電池６０をやや下方に押下げながら奥側から手前側に向かって取り外す。
【００８８】
次に、第１保持部６４に対し、新しい電池６０（２本）を手前側上方から奥側下方に向かって押下げながら取り付ける。このとき、上部に段差（段部６２ａ）があるため、第１保持部６４の手前側にスペースが形成されている。これにより、作業者は、奥側の第１保持部６４に対する各電池６０の着脱を効率良く行うことができる。続いて、同様に、第２保持部６５に新しい電池６０（２本）を取り付ける。
【００８９】
最後に、作業者は、下室内側台座１４にカバー２０を取り付ける。この状態で、カバー２０のクッションシール２６は、カートリッジ６１（カートリッジ本体６２）の手前側に密接している（図２参照）。以上によって、電池６０の交換作業が完了する。
【００９０】
以上の本実施形態に係る電気錠システム１によれば、電池６０を保持する電池収容装置１１は、下室内側台座１４に内装され、施解錠操作装置８は、室外側グリップ３２に内装される。このため、扉２の室内外には、それぞれ各ハンドル３，５のみが取り付けられる。これにより、各電気錠９，１０を駆動するための部品を、扉２に別途取り付ける必要がなく、電気錠システム１をコンパクトに構成することができる。また、扉２に機械式の錠前およびハンドルを取り付けた場合と略同様の意匠を維持しつつ電気錠システム１を構成することができる。さらに、扉２に各ハンドル３，５と各電気錠９，１０を取り付け、簡単な配線処理を行うだけで、電気錠システム１を構成することができる。このため、扉２に対する加工が不要となり、施工にかかる手間と時間を削減することができる。
【００９１】
また、本実施形態に係る電気錠システム１によれば、下室内側台座１４（カバー２５）には傾斜面部２５ａが形成されているため、室内側壁面２ｂと傾斜面部２５ａと間の距離、すなわち奥行方向の長さは、室内側グリップ１５側で長く、室内側グリップ１５から離れるほど短くなるように形成されている。すなわち、カートリッジ６１を配設する電源空間Ｓ２は、下方に向けて奥行方向に窄まるように形成されている。そして、カートリッジ６１において手前側の第２保持部６５は、奥側の第１保持部６４に対し、空間が広くなる方向に位置ずれしている。このため、空間の狭い領域には奥側の第１保持部６４のみが臨むこととなる。すなわち、カートリッジ６１は、奥行方向に窄まる電源空間Ｓ２の形状に合わせるように構成されている。これにより、カートリッジ６１の配設空間を確保するために下室内側台座１４を不自然に変形させたり大きくしたりする必要が無く、下室内側台座１４内の空間を有効利用しつつ、室内側ハンドル３として自然な意匠を保つことができる。
【００９２】
なお、上記した実施形態に係る電気錠システム１では、電池収容装置１１の第１保持部６４と第２保持部６５とが互いに上下方向に位置ずれして設けられていたが、本発明はこれに限定されない。例えば、図７に示すように、変形例として、第１保持部６４と第２保持部６５とが、上下方向に位置ずれせずに、同一の高さで並設される電池収容装置１２を構成してもよい。
【００９３】
なお、室内側ハンドル３の室内側レバー４を、室外側ハンドル５の室外側レバー６のように構成してもよいし、室外側ハンドル５の室外側レバー６を、室内側ハンドル３の室内側レバー４のように構成してもよい。すなわち、室内側レバー挿入部１６は、室内側ハンドル３の室内側壁面２ｂ側または室内側のいずれか一方に開口していればよい。同様に、室外側レバー挿入部３３は、室外側ハンドル５の室外側壁面２ｃ側または室内側のいずれか一方に開口していればよい。
【００９４】
なお、上記した実施形態に係る電気錠システム１では、２つの電気錠９，１０が設けられていたが、これに限定されるものではなく、電気錠を３つ以上設けてもよい。この場合、電気錠の配設数に応じて、サムターン、シリンダおよびシリンダカバーを、それぞれ設けることが好ましい。
【００９５】
なお、上記した実施形態に係る電気錠システム１では、電池収容装置１１が下室内側台座１４に内設されていたが、これに代えて、上室内側台座１３、或いは室外側ハンドル５の各室外側台座３０，３１のいずれかに内設するようにしてもよい。
【００９６】
なお、下室内側台座１４（或いはカバー２５の傾斜面部２５ａ）が湾曲形成されていたが、これに限定されるものではなく、例えば、傾斜面部２５ａが直線的に傾斜するように形成されていてもよい。また、例えば、傾斜面部２５ａを設けず、下室内側台座１４等を略直方体状に形成してもよい。
【００９７】
なお、上記した実施形態に係る電気錠システム１では、電池収容装置１１に４本の円筒型の電池６０を保持させたが、電池６０の個数（本数）は１個（本）以上であればよいし、例えば直方体型や平型の電池を用いてもよい。また、電池６０は、１次電池であってもよいし、２次電池であってもよい。さらに、電池６０の各電極６０ａ，６０ｂの向きも上記に限定されるものではない。また、電池保持部６３の形成数は、電池６０の保持数に応じて設定すればよい。例えば、奥行方向に３つ以上の電池保持部６３が並設されていてもよいし、１つの電池保持部６３に対し３本以上の電池６０を左右に並べて保持するようにしてもよい。また、１つの電池保持部６３に対し２本以上の電池６０を上下に並べて保持するようにしてもよい。
【００９８】
なお、上記した本発明の実施形態の説明は、本発明に係る電気錠システム１における好適な実施の形態を説明しているため、技術的に好ましい種々の限定を付している場合もあるが、本発明の技術範囲は、特に本発明を限定する記載がない限り、これらの態様に限定されるものではない。さらに、上記した本発明の実施形態における構成要素は適宜、既存の構成要素等との置き換えが可能であり、かつ、他の既存の構成要素との組合せを含む様々なバリエーションが可能であり、上記した本発明の実施形態の記載をもって、特許請求の範囲に記載された発明の内容を限定するものではない。
【符号の説明】
【００９９】
１  電気錠システム
２  扉
２ａ  木口
２ｂ  室内側壁面（壁面）
２ｃ  室外側壁面（壁面）
３  室内側ハンドル
４  室内側レバー
５  室外側ハンドル
６  室外側レバー
７  ラッチ錠
７ａ  ラッチボルト
８  施解錠操作装置
９  主電気錠
９ｃ，１０ｃ  シリンダ
１０  副電気錠
１１，１２  電池収容装置
１３  上室内側台座
１４  下室内側台座
１５  室内側グリップ
２５ａ  傾斜面部（傾斜面）
３０  上室外側台座
３０ｂ，３１ｂ  シリンダカバー
３１  下室外側台座
３２  室外側グリップ
５０  通信ユニット
５１  プッシュボタン
６０  電池
６１  カートリッジ
６３  電池保持部
６４  第１保持部
６５  第２保持部
１００  ＩＣカード（通信媒体）
１０１  携帯型キー（通信媒体）
Ｓ２  電源空間（空間）
【図１】
2015068007.tif 000003
【図２】
2015068007.tif 000004
【図３】
2015068007.tif 000005
【図４】
2015068007.tif 000006
【図５】
2015068007.tif 000007
【図６】
2015068007.tif 000008
【図７】
2015068007.tif 000009